(57)【要約】【課題】幅の小さいＬＥＤユニット等を提供する。【解決手段】ＬＥＤユニット１０１は、仮想線分上に配された複数個のＬＥＤ素子１０３と、複数個のＬＥＤ素子１０３と電気的に接続する複数個の導電片１６０，１７０，１８０からなる配線体１０５とを備え、配線体１０５は、ＬＥＤ素子１０３が配されている側から配線体１０５を見たときに、ＬＥＤ素子１０３との実装面において仮想線分と直交する第１直交方向の一方側に位置する部位が実装面に対して曲げられた一方側曲部１５３を有する。【選択図】図１
2019087466.tif 000002
【特許請求の範囲】
【請求項１】
仮想線分上に配された複数個のＬＥＤ素子と、
前記複数個のＬＥＤ素子と電気的に接続する複数個の導電片からなる配線体と
を備え、
前記配線体は、前記ＬＥＤ素子が配されている側から前記配線体を見たときに、前記ＬＥＤ素子との実装面において前記仮想線分と直交する第１直交方向の一方側に位置する部位が前記実装面に対して曲げられた一方側曲部を有する
ＬＥＤユニット。
【請求項２】
前記複数個の導電片は前記仮想線分上に間隔をおいて配され、
前記複数個のＬＥＤ素子は、前記仮想線分上で隣接する２つの導電片の一方側に第１接続端子が接続し且つ前記２つの導電片の他方側に第２接続端子が接続する状態で、前記複数個の導電片に跨るように実装され、
前記仮想線分の一方端に位置する一方端側導電片は、前記ＬＥＤ素子と接続する接続領域を含む一方端側接続部と、前記一方端側接続部から前記仮想線分が延伸する仮想線方向に沿って延伸する一方側バスバー部とを有し、
前記一方側曲部は、前記一方端側接続部における前記接続領域を除く部分及び前記一方側バスバー部の少なくとも一方に設けられている
請求項１に記載のＬＥＤユニット。
【請求項３】
前記複数個の導電片は、前記複数個のＬＥＤ素子における前記第１直交方向の一方側に配された一方側導電片と、前記複数個のＬＥＤ素子における前記第１直交方向の他方側に配された他方側導電片との２個であり、
前記複数個のＬＥＤ素子は、前記一方側導電片に第１接続端子が接続し且つ前記他方側導電片に第２接続端子が接続する状態で、前記一方側導電片と前記他方側導電片とに跨るように実装され、
前記一方側導電片は、前記ＬＥＤ素子と接続する接続領域を含む複数個の一方側接続部と、前記複数個の一方側接続部における前記ＬＥＤ素子と反対側を前記仮想線分が延伸する仮想線方向に沿って連結する一方側バスバー部とを有し、
前記一方側曲部は、前記一方側接続部における前記接続領域を除く部分及び前記一方側バスバー部の少なくとも一方に設けられている
請求項１に記載のＬＥＤユニット。
【請求項４】
前記配線体は、前記ＬＥＤ素子が配されている側から前記配線体を見たときに、前記第１直交方向の他方側に位置する部位が前記実装面に対して曲げられた他方側曲部を有する
請求項１〜３の何れか１項に記載のＬＥＤユニット。
【請求項５】
前記配線体は、前記ＬＥＤ素子が配されている側から前記配線体を見たときに、前記第１直交方向の他方側に位置する部位が前記実装面に対して曲げられた他方側曲部を有し、
前記仮想線分の他方端に位置する他方端側導電片は、前記ＬＥＤ素子と接続する接続領域を含む他方端側接続部と、前記他方端側接続部から前記仮想線方向に沿って延伸する他方側バスバー部とを有し、
前記他方側曲部は、前記他方端側接続部における前記接続領域を除く部分及び他方側バスバー部の少なくとも一方に設けられている
請求項２に記載のＬＥＤユニット。
【請求項６】
前記配線体は、前記ＬＥＤ素子が配されている側から前記配線体を見たときに、前記第１直交方向の他方側に位置する部位が前記実装面に対して曲げられた他方側曲部を有し、
前記他方側導電片は、前記ＬＥＤ素子と接続する接続領域を含む複数個の他方側接続部と、前記複数個の他方側接続部における前記ＬＥＤ素子と反対側を前記仮想線方向に沿って連結する他方側バスバー部とを有し、
前記他方側曲部は、前記他方側接続部における前記接続領域を除く部分及び前記他方側バスバー部の少なくとも一方に設けられている
請求項３に記載のＬＥＤユニット。
【請求項７】
前記配線体は、前記一方側バスバー部と前記他方側バスバー部との各バスバー部における前記仮想線方向の両端に、他の配線体と着脱可能な連結部を有する
請求項５又は６に記載のＬＥＤユニット。
【請求項８】
前記連結部は、挿抜可能な雌コネクタと雄コネクタであり、
前記各バスバー部の一方の連結部が前記雌コネクタであり、前記各バスバー部の他方の連結部が前記雄コネクタである
請求項７に記載のＬＥＤユニット。
【請求項９】
複数個のＬＥＤユニットを備える照明装置において、
前記ＬＥＤユニットは、請求項１〜８の何れか１項に記載のＬＥＤユニットである
照明装置。
【発明の詳細な説明】
【技術分野】
【０００１】
本発明は、長尺状の配線体に複数個のＬＥＤが実装されてなるＬＥＤユニット及び当該ＬＥＤユニットを備える照明装置に関する。
【背景技術】
【０００２】
近年、プリント基板の代わりに複数個の導電片により構成された第１方向に長い配線体にＬＥＤが実装されたＬＥＤユニットが提案されている（例えば特許文献１）。
特許文献１では、「プリント基板を用いない発光ダイオード蛍光灯用連続基板の製造方法であって、発光ダイオードの端子接触部と切断箇所により電気回路が形成できる配線パターンとを連続して有するプレス加工により製作された金属フレームに、金型を用いた樹脂インサート成形技術により絶縁部を形成し、該絶縁部形成後に金属フレームの導通不要部分を切断し電気回路を形成する」ことで配線体を製造して、当該配線体に複数個のＬＥＤを実装している。
【先行技術文献】
【特許文献】
【０００３】
【特許文献１】特開２０１１−１４６１８７号公報
【発明の概要】
【発明が解決しようとする課題】
【０００４】
しかしながら、特許文献１に記載のＬＥＤユニットでは、ＬＥＤ素子の実装面における第１方向と直交する方向の寸法、つまり、幅が大きくなるという課題がある。
本発明は、幅の小さいＬＥＤユニット及び照明装置を提供することを目的とする。
【課題を解決するための手段】
【０００５】
本発明に係るＬＥＤユニットは、仮想線分上に配された複数個のＬＥＤ素子と、前記複数個のＬＥＤ素子と電気的に接続する複数個の導電片からなる配線体とを備え、前記配線体は、前記ＬＥＤ素子が配されている側から前記配線体を見たときに、前記ＬＥＤ素子との実装面において前記仮想線分と直交する第１直交方向の一方側に位置する部位が前記実装面に対して曲げられた一方側曲部を有する。
本発明に係る照明装置は、複数個のＬＥＤユニットを備え、前記ＬＥＤユニットは、上記記載のＬＥＤユニットである。
【発明の効果】
【０００６】
上述の構成によれば、一方側曲部を有するため、ＬＥＤユニット及び照明装置の幅を小さくできる。
【図面の簡単な説明】
【０００７】
【図１】第１実施形態のＬＥＤユニットの斜視図である。
【図２】第１実施形態のＬＥＤユニットの製造過程を説明する図である。
【図３】第１実施形態のＬＥＤユニットを用いた照明装置の図である。
【図４】第２実施形態のＬＥＤユニットの斜視図である。
【図５】第２実施形態のＬＥＤユニットの製造過程を説明する図である。
【図６】第２実施形態のＬＥＤユニットを用いた照明装置の図である。
【図７】ＬＥＤユニットの曲部に関する変形例を示す図である。
【図８】（ａ）はＬＥＤユニットの曲部の向きの変形例を示す図であり、（ｂ）は変形例に係るＬＥＤユニットを用いた照明装置である。
【図９】ＬＥＤユニットの連結方法を説明する図である。
【発明を実施するための形態】
【０００８】
＜概要＞
一態様に係るＬＥＤユニットは、仮想線分上に配された複数個のＬＥＤ素子と、前記複数個のＬＥＤ素子と電気的に接続する複数個の導電片からなる配線体とを備え、前記配線体は、前記ＬＥＤ素子が配されている側から前記配線体を見たときに、前記ＬＥＤ素子との実装面において前記仮想線分と直交する第１直交方向の一方側に位置する部位が前記実装面に対して曲げられた一方側曲部を有する。
別態様に係るＬＥＤユニットにおいて、前記複数個の導電片は前記仮想線分上に間隔をおいて配され、前記複数個のＬＥＤ素子は、前記仮想線分上で隣接する２つの導電片の一方側に第１接続端子が接続し且つ前記２つの導電片の他方側に第２接続端子が接続する状態で、前記複数個の導電片に跨るように実装され、前記仮想線分の一方端に位置する一方端側導電片は、前記ＬＥＤ素子と接続する接続領域を含む一方端側接続部と、前記一方端側接続部から前記仮想線分が延伸する仮想線方向に沿って延伸する一方側バスバー部とを有し、前記一方側曲部は、前記一方端側接続部における前記接続領域を除く部分及び前記一方側バスバー部の少なくとも一方に設けられている。
別態様に係るＬＥＤユニットにおいて、前記複数個の導電片は、前記複数個のＬＥＤ素子における前記第１直交方向の一方側に配された一方側導電片と、前記複数個のＬＥＤ素子における前記第１直交方向の他方側に配された他方側導電片との２個であり、前記複数個のＬＥＤ素子は、前記一方側導電片に第１接続端子が接続し且つ前記他方側導電片に第２接続端子が接続する状態で、前記一方側導電片と前記他方側導電片とに跨るように実装され、前記一方側導電片は、前記ＬＥＤ素子と接続する接続領域を含む複数個の一方側接続部と、前記複数個の一方側接続部における前記ＬＥＤ素子と反対側を前記仮想線分が延伸する仮想線方向に沿って連結する一方側バスバー部とを有し、前記一方側曲部は、前記一方側接続部における前記接続領域を除く部分及び前記一方側バスバー部の少なくとも一方に設けられている。
【０００９】
別態様に係るＬＥＤユニットにおいて、前記配線体は、前記ＬＥＤ素子が配されている側から前記配線体を見たときに、前記第１直交方向の他方側に位置する部位が前記実装面に対して曲げられた他方側曲部を有する。これにより、ＬＥＤユニット及び照明装置の幅をさらに小さくできる。
別態様に係るＬＥＤユニットにおいて、前記配線体は、前記ＬＥＤ素子が配されている側から前記配線体を見たときに、前記第１直交方向の他方側に位置する部位が前記実装面に対して曲げられた他方側曲部を有し、前記仮想線分の他方端に位置する他方端側導電片は、前記ＬＥＤ素子と接続する接続領域を含む他方端側接続部と、前記他方端側接続部から前記仮想線方向に沿って延伸する他方側バスバー部とを有し、前記他方側曲部は、前記他方端側接続部における前記接続領域を除く部分及び他方側バスバー部の少なくとも一方に設けられている。
別態様に係るＬＥＤユニットにおいて、前記配線体は、前記ＬＥＤ素子が配されている側から前記配線体を見たときに、前記第１直交方向の他方側に位置する部位が前記実装面に対して曲げられた他方側曲部を有し、前記他方側導電片は、前記ＬＥＤ素子と接続する接続領域を含む複数個の他方側接続部と、前記複数個の他方側接続部における前記ＬＥＤ素子と反対側を前記仮想線方向に沿って連結する他方側バスバー部とを有し、前記他方側曲部は、前記他方側接続部における前記接続領域を除く部分及び前記他方側バスバー部の少なくとも一方に設けられている。
【００１０】
別態様に係るＬＥＤユニットにおいて、前記配線体は、前記一方側バスバー部と前記他方側バスバー部との各バスバー部における前記仮想線方向の両端に、他の配線体と着脱可能な連結部を有する。これにより、長さの異なる照明装置を容易に製造できる。
別態様に係るＬＥＤユニットにおいて、前記連結部は、挿抜可能な雌コネクタと雄コネクタであり、前記各バスバー部の一方の連結部が前記雌コネクタであり、前記各バスバー部の他方の連結部が前記雄コネクタである。これにより、複数個のＬＥＤユニットを容易に連結できる。
【００１１】
＜第１実施形態＞
第１実施形態では複数個のＬＥＤ素子を直列に接続するＬＥＤユニットの一例について、図１から図３を用いて説明する。
【００１２】
１．構成
主に図１を用いてＬＥＤユニット１０１を説明する。
ＬＥＤユニット１０１は、仮想線分上に配された複数個のＬＥＤ素子１０３と、複数個のＬＥＤ素子１０３と接続される配線体１０５とを備える。ここでの仮想線分は直線状をし、仮想線が延伸する方向を仮想線方向とする。
配線体１０５は、図外の電源ユニットに接続され、ＬＥＤ素子１０３を発光させる電力を受ける。ＬＥＤユニット１０１は４個のＬＥＤ素子１０３を直列接続で有している。
ＬＥＤ素子１０３が実装される実装面において仮想線方向と直交する方向を第１直交方向とし、仮想線方向と第１直交方向とに直交する方向を第２直交方向とする。なお、ＬＥＤ素子１０３から光が出射される側を表側とし、反対側を裏側とすると、表裏方向は第２直交方向と一致する。
【００１３】
（１）ＬＥＤ素子
ＬＥＤ素子の一例について説明する。
ＬＥＤ素子１０３は表面実装タイプ（ＳＭＤ）である。具体的には、ＬＥＤ素子１０３は第１接続端子と第２接続端子とを下面の仮想線方向の両側に有する。第１接続端子は素子内のカソード電極に接続し、第２接続端子は素子内のアノード電極に接続している。
ＬＥＤ素子１０３は、平面視において矩形状をし、その長手方向が仮想線方向と平行となるように配線体１０５に実装されている。
ＬＥＤ素子１０３は、所謂ミドルチップであり、１チップ当たりの消費電力は０．１（Ｗ）以上１．０（Ｗ）以下の範囲内である。
【００１４】
（２）配線体
配線体１０５は複数個の導電片を仮想線方向に間隔をおいて有している。ＬＥＤ素子１０３の第１接続端子は仮想線方向に隣接する２つの導電片の一方側に、ＬＥＤ素子１０３の第２接続端子は２つの導電片の他方側に、それぞれ半田、バンプ等を利用して接続される。つまり、ＬＥＤ素子１０３は仮想線方向に隣接する２つの導電片に跨るように実装されている。
導電片には、仮想線分の一方端に位置する一方端側導電片１６０と、仮想線分の他方端に位置する他方端側導電片１７０と、一方端側導電片１６０と他方端側導電片１７０の間に位置する複数個の中間側導電片１８０がある。
【００１５】
配線体１０５は、ＬＥＤ素子１０３が配されている側（表側）から配線体１０５を見たときに、第１直交方向の一方側に位置する部位が仮想線方向と第１直交方向とを含む面と交差する方向に曲げられた一方側曲部１５３を有する。
配線体１０５は、ＬＥＤ素子１０３が配されている側（表側）から配線体１０５を見たときに、第１直交方向の他方側に位置する部位が仮想線方向と第１直交方向とを含む面と交差する方向に曲げられた他方側曲部１５５を有する。
【００１６】
（２−１）一方端側導電片
一方端側導電片１６０は、ＬＥＤ素子１０３と接続する接続領域１６１を含む一方端側接続部１６３と、一方端側接続部１６３から複数個のＬＥＤ素子１０３に沿って延伸する一方側バスバー部１６５とを有する。一方側曲部１５３は一方端側接続部１６３における前記接続領域１６１を除く部分に設けられている。
【００１７】
一方端側接続部１６３は仮想線方向を短手方向とする矩形状をし、一方端側接続部１６３における仮想線方向の他方端側が接続領域１６１となっている。
一方端側接続部１６３は、一方端平坦部分１６７と、一方端平坦部分１６７の第１直交方向の一方端から裏側に延伸する一方端延伸部分１６９とを有する。一方端平坦部分１６７は、ＬＥＤ素子１０３の第１直交方向の寸法より大きく、第１直交方向を長手方向とする矩形状をしている。
一方端延伸部分１６９は第２直交方向に延伸する。つまり、一方端延伸部分１６９は仮想線方向と第１直交方向とを含む面に対して直交している。一方端平坦部分１６７と一方端延伸部分１６９との境界部分が一方側曲部１５３である。一方端延伸部分１６９は他方側バスバー部１７５に向かって突出する凸部分１６９ａを有している。
【００１８】
一方側バスバー部１６５は、仮想線方向を長手方向とし、第２直交方向を短手方向とする矩形状をしている。一方側バスバー部１６５の仮想線方向の他方端部には貫通孔１６５ａが設けられている。
貫通孔１６５ａの位置は、複数個のＬＥＤユニット１０１を仮想線方向に連結する際に、仮想線方向の他方側に配されるＬＥＤユニット１０１の一方端延伸部分１６９の凸部分１６９ａの位置と一致する。仮想線方向の他方側に位置するＬＥＤユニット１０１の凸部分１６９ａが一方側に位置するＬＥＤユニット１０１の貫通孔１６５ａに第１直交方向の外側から嵌合する。これにより、仮想線方向に隣接するＬＥＤユニット１０１が機械的及び電気的に連結される。なお、貫通孔１６５ａ及び凸部分１６９ａは連結部の一例に相当する。
一方側バスバー部１６５における他方端は第１直交方向に弾性変形可能であり、他方側に位置するＬＥＤユニット１０１の凸部分１６９ａが、一方側に位置するＬＥＤユニット１０１の貫通孔１６５ａから外れ難くなる。
【００１９】
（２−２）他方端側導電片
他方端側導電片１７０は、ＬＥＤ素子１０３と接続する接続領域１７１を含む他方端側接続部１７３と、他方端側接続部１７３から複数個のＬＥＤ素子１０３に沿って延伸する他方側バスバー部１７５とを有する。他方側曲部１５５は、他方端側接続部１７３における前記接続領域１７１を除く部分に設けられている。
【００２０】
他方端側接続部１７３は仮想線方向を短手方向とする矩形状をし、他方端側接続部１７３における仮想線方向の一方端側が接続領域１７１となっている。
他方端側接続部１７３は、他方端平坦部分１７７と、他方端平坦部分１７７の第１直交方向の他方端から裏側に延伸する他方端延伸部分１７９とを有する。他方端平坦部分１７７は、ＬＥＤ素子１０３の第１直交方向の寸法より大きく、第１直交方向を長手方向とする矩形状をしている。
他方端延伸部分１７９は第２直交方向に延伸する。つまり、他方端延伸部分１７９は仮想線方向と第１直交方向とを含む面に対して直交している。他方端平坦部分１７７と他方端延伸部分１７９との境界部分が他方側曲部１５５である。他方端延伸部分１７９は一方側バスバー部１６５に向かって突出する凸部分１７９ａを有している。
【００２１】
他方側バスバー部１７５は、仮想線方向を長手方向とし、第２直交方向を短手方向とする矩形状をしている。他方側バスバー部１７５の仮想線方向の一方端部には貫通孔１７５ａが設けられている。なお、貫通孔１７５ａは図面の関係で一方端平坦部分１６７の陰に隠れている。
貫通孔１７５ａの位置は、複数個のＬＥＤユニット１０１を仮想線方向に連結する際に、仮想線方向の一方側に配されるＬＥＤユニット１０１の他方端延伸部分１７９の凸部分１７９ａの位置と一致する。仮想線方向の一方側に位置するＬＥＤユニット１０１の凸部分１７９ａが他方側に位置するＬＥＤユニット１０１の貫通孔１７５ａに第１直交方向の外側から嵌合する。これにより、仮想線方向に隣接するＬＥＤユニット１０１が機械的及び電気的に連結される。なお、貫通孔１７５ａ及び凸部分１７９ａは連結部の一例に相当する。
他方側バスバー部１７５における一方端は第１直交方向に弾性変形可能であり、一方側に位置するＬＥＤユニット１０１の凸部分１７９ａが、他方側に位置するＬＥＤユニット１０１の貫通孔１７５ａから外れ難くなる。
なお、一方端側導電片１６０と他方端側導電片１７０とは、ユニットに組み込まれる前の状態は、同じ構成であり、バスバー部の延伸方向が逆方向である。
【００２２】
（２−３）中間側導電片
中間側導電片１８０は仮想線方向に長い矩形状をしている。中間側導電片１８０は、一方端部に一方側に配されたＬＥＤ素子１０３と接続する接続領域１８１を、他方端部に他方側に配されたＬＥＤ素子１０３と接続する接続領域１８３を有している。
中間側導電片１８０の長手方向の寸法は、２つの接続領域１８１，１８３の長手方向の寸法の和よりも長くなっている。つまり、中間側導電片１８０は、２つの接続領域１８１，１８３を長手方向に間隔をおいて有する。
【００２３】
２．製造方法
ＬＥＤユニット１０１の製造方法の一例について図２を用いて説明する。
ＬＥＤユニット１０１の製造方法は、一方端側導電片１６０に相当する一方端側導電片部１９１と、他方端側導電片１７０に相当する他方端側導電片部１９３と、中間側導電片１８０に相当する複数個の中間側導電片１９５と、これらを連結する複数の連結部分１９７とを一体で有する配線板１９９を準備する準備工程（同図の（ａ）である）と、配線板１９９にＬＥＤ素子１０３を実装する実装工程（同図の（ｂ）である）と、連結部分１９７を除去して連結状態を解除する解除工程（同図の（ｃ）である）と、一方端側導電片１６０を屈曲させて一方側曲部１５３を形成する第１形成工程（同図の（ｄ）である）と、他方端側導電片１７０を屈曲させて他方側曲部１５５を形成する第２形成工程（同図の（ｄ）である）とを有する。
【００２４】
準備工程は準備した金属平板を打ち抜いて配線板１９９を準備する。実装工程は半田フローを利用してＬＥＤ素子１０３を実装する。除去工程は打ち抜き加工を利用している。第１形成工程及び第２形成工程はプレス加工を利用している。ここでは、第１形成工程と第２形成工程とを同時に行っている。
【００２５】
３．照明装置
ＬＥＤユニット１０１を利用した照明装置１００の一例について図３を用いて説明する。
照明装置１００は、１個又は複数個のＬＥＤユニット１０１と、１個又は複数個のＬＥＤユニット１０１を覆う透光性カバー１０２とを備える。
【００２６】
ＬＥＤユニット１０１を複数個用いる場合、各ＬＥＤユニット１０１の仮想線方向が一致するように、連結される。具体的には、各ＬＥＤユニット１０１の一方側バスバー部１６５同士が凸部分１６９ａと貫通孔１６５ａとを利用して連結され、他方側バスバー部１７５同士が凸部分１７９ａと貫通孔１７５ａとを利用して連結される。この場合、各ＬＥＤユニット１０１を構成するＬＥＤ素子１０３は直列接続で、各ＬＥＤユニット１０１は並列接続となる。
【００２７】
透光性カバー１０２は、ＬＥＤユニット１０１の延伸部分１６９，１７９と対向して、仮想線方向に延伸する一対の対向部１２１と、一対の対向部１２１の表側端から表側に膨出する膨出部１２３と、ＬＥＤユニット１０１への装着部１２５とを有している。
透光性カバー１０２は少なくとも膨出部１２３は光透過性を有する。ここでは、透光性カバー１０２は透光性樹脂材料により構成されている。
【００２８】
対向部１２１は、第２直交方向と仮想線方向とを含む面と平行な平板状をしている。対向部１２１はＬＥＤユニット１０１の延伸部分１６９，１７９の全領域を覆う。これにより、延伸部分１６９，１７９の露出がなくなり、電気安全性を向上させることができる。
【００２９】
膨出部１２３は、仮想線方向から見たとき（図３の状態である）、ドーム状、円弧状、半円状をしている。膨出部１２３は、必要によっては、内面及び外面の少なくとも一方の面に光拡散部を有してもよい。光拡散部は、例えば、ブラスト加工、成形型へのシボ加工等による凹凸である。
【００３０】
装着部１２５は、ＬＥＤユニット１０１の延伸部分１６９，１７９の裏側端部に係合する係合構造により構成されている。装着部１２５は、対向部１２１の裏側端から、延伸部分１６９，１７９の裏側端を通って対向部１２１との間に隙間を有するように、折り返されたような形状をしている。透光性カバー１０２は、対向部１２１と装着部１２５との間に存在する溝１２５ａに延伸部分１６９，１７９が挿入されることで、ＬＥＤユニット１０１に装着される。具体的には、透光性カバー１０２は、ＬＥＤユニット１０１の仮想線方向の端部から仮想線方向にスライドさせることで、装着される。なお、透光性カバー１０２は、ＬＥＤユニット１０１に係合（装着）する状態で、ねじ、リベット等の固定具により固定してもよい。この場合、対向部１２１や装着部１２５、さらに延伸部分１６９，１７９に貫通孔やねじ孔等を設けることで実施できる。
【００３１】
＜第２実施形態＞
第２実施形態では複数個のＬＥＤ素子を並列に接続するＬＥＤユニットの一例について、図４から図６を用いて説明する。
１．構成
主に図４を用いて説明する。
ＬＥＤユニット２０１は、仮想線分上に配された複数個のＬＥＤ素子２０３と、複数個のＬＥＤ素子２０３と接続される配線体２０５とを備える。ここでの仮想線分は直線状をし、仮想線が延伸する方向を、第１実施形態と同様に、仮想線方向とする。なお、第２実施形態における第１直交方向、第２直交方向及び表裏の位置関係は、第１実施形態と同じである。
配線体２０５は、図外の電源ユニットに接続され、ＬＥＤ素子２０３を発光させる電力を受ける。ＬＥＤユニット２０１は３個のＬＥＤ素子２０３を並列接続で有している。
【００３２】
（１）ＬＥＤ素子
ＬＥＤ素子の一例について説明する。
ＬＥＤ素子２０３は表面実装タイプ（ＳＭＤ）である。具体的には、ＬＥＤ素子２０３は第１接続端子と第２接続端子とを下面の仮想線方向の両側に有する。第１接続端子は素子内のカソード電極に接続し、第２接続端子は素子内のアノード電極に接続している。
ＬＥＤ素子２０３は、平面視において矩形状をし、その長手方向が第１直交方向と平行となるように配線体２０５に実装されている。ＬＥＤ素子２０３は、第１実施形態と同様にミドルチップである。
【００３３】
（２）配線体
配線体２０５は複数個の導電片（２６０，２７０）を第１直交方向に間隔をおいて有している。ＬＥＤ素子２０３の第１接続端子は第１直交方向に隣接する２つの導電片の一方側（２６０）に、ＬＥＤ素子２０３の第２接続端子は２つの導電片の他方側（２７０）に、それぞれ半田、バンプ等を利用して接続される。つまり、ＬＥＤ素子２０３は第１直交方向に隣接する２つの導電片（２６０，２７０）に跨るように実装されている。
配線体２０５は、第１直交方向の一方側に位置する一方側導電片２６０と、第１直交方向の他方側に位置する他方側導電片２７０とを有する。
【００３４】
導電片には、ＬＥＤ素子２０３が配されている側（表側）から配線体２０５を見たときに、第１直交方向の一方側に位置する部位が仮想線方向と第１直交方向とを含む面と交差する方向に曲げられた一方側曲部２５３とがある。
配線体２０５は、ＬＥＤ素子２０３が配されている側（表側）から配線体２０５を見たときに、第１直交方向の他方側に位置する部位が仮想線方向と第１直交方向とを含む面と交差する方向に曲げられた他方側曲部２５５を有する。
【００３５】
（２−１）一方側導電片
一方側導電片２６０は、ＬＥＤ素子２０３と接続する一方側接続領域２６１を含む一方側接続部２６３と、一方側接続部２６３から複数個のＬＥＤ素子１０３に沿って延伸する一方側バスバー部２６５とを有する。一方側曲部２５３は、一方側接続部２６３における一方側接続領域２６１を除く部分に設けられている。なお、一方側接続部２６３はＬＥＤ素子２０３と同数個ある。
【００３６】
一方側接続部２６３は方形状またはそれに近い形状をし、一方側接続部２６３における第１直交方向の他方端側が一方側接続領域２６１となっている。
一方側接続部２６３は、一方側平坦部分２６７と、一方側平坦部分２６７の第１直交方向の一方端から裏側に延伸する一方側延伸部分２６９とを有する。一方側平坦部分２６７は、ＬＥＤ素子２０３の仮想線方向の寸法より大きく、仮想線方向を長手方向とする矩形状をしている。
一方側延伸部分２６９は第２直交方向に延伸する。つまり、一方側延伸部分２６９は仮想線方向と第１直交方向とを含む面に対して直交している。一方側平坦部分２６７と一方側延伸部分２６９との境界部分が一方側曲部２５３である。
【００３７】
一方側バスバー部２６５は、仮想線方向を長手方向とし、第２直交方向を短手方向とする矩形状をしている。一方側バスバー部２６５は、仮想線方向の一方端部に凸部分２６５ａを、他方端部に貫通孔２６５ｂをそれぞれ有している。凸部分２６５ａは他方側バスバー部２７５に向かって突出する。
複数個のＬＥＤユニット２０１を仮想線方向に連結する際に、一方側に位置するＬＥＤユニット２０１の一方側バスバー部２６５の他方端部と、他方側に位置するＬＥＤユニット２０１の一方側バスバー部２６５の一方端部とが第１直交方向に弾性変形し、一方側に配されるＬＥＤユニット２０１の一方側バスバー部２６５の他方端部の貫通孔２６５ｂに、他方側に配されるＬＥＤユニット２０１の一方側バスバー部２６５の一方端部の凸部分２６５ａが第１直交方向の外側から嵌合する。これにより、仮想線方向に隣接するＬＥＤユニット２０１が機械的及び電気的に連結される。なお、凸部分２６５ａ及び貫通孔２６５ｂは連結部の一例に相当する。
【００３８】
（２−２）他方側導電片
他方側導電片２７０は、ＬＥＤ素子２０３と接続する他方側接続領域２７１を含む他方側接続部２７３と、他方側接続部２７３から複数個のＬＥＤ素子２０３に沿って延伸する他方側バスバー部２７５とを有する。他方側曲部２５５は、他方側接続部２７３における他方側接続領域２７１を除く部分に設けられている。なお、他方側接続部２７３はＬＥＤ素子２０３と同数個ある。
【００３９】
他方側接続部２７３は方形状またはそれに近い形状をし、他方側接続部２７３における第１直交方向の一方端側が他方側接続領域２７１となっている。
他方側接続部２７３は、他方側平坦部分２７７と、他方側平坦部分２７７の第１直交方向の他方端から裏側に延伸する他方側延伸部分２７９とを有する。他方側平坦部分２７７は、ＬＥＤ素子２０３の仮想線方向の寸法より大きく、仮想線方向を長手方向とする矩形状をしている。
他方側延伸部分２７９は第２直交方向に延伸する。つまり、他方側延伸部分２７９は仮想線方向と第１直交方向とを含む面に対して直交している。他方側平坦部分２７７と他方側延伸部分２７９との境界部分が他方側曲部２５５である。
【００４０】
他方側バスバー部２７５は、仮想線方向を長手方向とし、第２直交方向を短手方向とする矩形状をしている。他方側バスバー部２７５は、仮想線方向の他方端部に凸部分２７５ａを、一方端部に貫通孔２７５ｂをそれぞれ有している。凸部分２７５ａは一方側バスバー部２６５に向かって突出する。
複数個のＬＥＤユニット２０１を仮想線方向に連結する際に、一方側に位置するＬＥＤユニット２０１の他方側バスバー部２７５の他方端部と、他方側に位置するＬＥＤユニット２０１の他方側バスバー部２７５の一方端部とが第１直交方向に弾性変形し、一方側に配されるＬＥＤユニット２０１の他方側バスバー部２７５の他方端部の凸部分２７５ａが、他方側に配されるＬＥＤユニット２０１の他方側バスバー部２７５の一方端部の貫通孔２７５ｂに第１直交方向の外側から嵌合する。これにより、仮想線方向に隣接するＬＥＤユニット２０１が機械的及び電気的に連結される。なお、凸部分２７５ａ及び貫通孔２７５ｂは連結部の一例に相当する。
なお、一方側導電片２６０と他方側導電片２７０とは、ユニットに組み込まれる前の状態は、同じ構成であり、凸部分２６５ａ，２７５ａの位置が仮想線方向において逆側となる。
【００４１】
２．製造方法
ＬＥＤユニット２０１の製造方法の一例について図５を用いて説明する。
ＬＥＤユニット２０１の製造方法は、一方側導電片２６０に相当する一方側導電片部２９１と、他方側導電片２７０に相当する他方側導電片部２９３と、これらを連結する複数の連結部分２９７とを一体で有する配線板２９９を準備する準備工程（同図の（ａ）である）と、配線板２９９にＬＥＤ素子２０３を実装する実装工程（同図の（ｂ）である）と、連結部分２９７を除去して連結状態を解除する解除工程（同図の（ｃ）である）と、一方側導電片２６０を屈曲させて一方側曲部２５３を形成する第１形成工程（同図の（ｄ）である）と、他方側導電片２７０を屈曲させて他方側曲部２５５を形成する第２形成工程（同図の（ｄ）である）とを有する。
【００４２】
準備工程は準備した金属平板を打ち抜いて配線板２９９を準備する。実装工程は半田フローを利用してＬＥＤ素子２０３を実装する。除去工程は打ち抜き加工を利用している。第１形成工程及び第２形成工程はプレス加工を利用している。ここでは、第１形成工程と第２形成工程とを同時に行っている。
【００４３】
３．照明装置
ＬＥＤユニット２０１を利用した照明装置の一例について図６を用いて説明する。
照明装置２００は、１個又は複数個のＬＥＤユニット２０１と、１個又は複数個のＬＥＤユニット２０１を覆う透光性カバー２０２とを備える。
【００４４】
ＬＥＤユニット２０１を複数個用いる場合、各ＬＥＤユニット２０１の仮想線方向が一致するように、接続される。具体的には、各ＬＥＤユニット２０１の一方側バスバー部２６５同士が凸部分２６５ａと貫通孔２６５ｂとを利用して連結され、他方側バスバー部２７５同士が凸部分２７５ａと貫通孔２７５ｂとを利用して連結される。この場合、各ＬＥＤユニット２０１を構成するＬＥＤ素子２０３はすべて並列接続となる。
【００４５】
透光性カバー２０２は、ＬＥＤユニット２０１の延伸部分２６９，２７９及びバスバー部２６５，２７５と対向して、仮想線方向に延伸する一対の対向部２２１と、一対の対向部２２１の表側端から表側に膨出する膨出部２２３と、一対の対向部２２１の裏側端を連結する連結部２２５とを有している。
透光性カバー２０２は少なくとも膨出部２２３は光透過性を有する。ここでは、透光性カバー２０２は透光性樹脂材料により構成されている。
【００４６】
対向部２２１は、第２直交方向と仮想線方向とからなる面と平行な平板状をしている。対向部２２１はＬＥＤユニット２０１の延伸部分２６９，２７９及びバスバー部２６５，２７５の外面の全領域を覆う。これにより、延伸部分２６９，２７９及びバスバー部２６５，２７５の露出がなくなり、電気安全性を向上させることができる。
【００４７】
膨出部２２３は、仮想線方向から見たとき（図６の状態である）、ドーム状、円弧状、半円状をしている。膨出部２２３は、必要によっては、内面及び外面の少なくとも一方の面に光拡散部を有してもよい。光拡散部は、例えば、ブラスト加工、成形型へのシボ加工等による凹凸である。
【００４８】
連結部２２５は、ＬＥＤユニット２０１の平坦部分２６７，２７７の裏側に位置し、平坦部分２６７，２７７と対向する。一対の対向部２２１、膨出部２２３及び連結部２２５により形成される内部空間がＬＥＤユニット２０１の収容空間となる。
透光性カバー２０２のＬＥＤユニット２０１への装着は、ＬＥＤユニット２０１を透光性カバー２０２の仮想線方向の端部から仮想線方向にスライド（挿入）させることで、行われる。
透光性カバー２０２の対向部２２１の第２直交方向の寸法は、ＬＥＤユニット２０１の配線体２０５の第２直交方向の寸法に対応しており、ＬＥＤユニット２０１が透光性カバー２０２内で第２直交方向に移動するようなことを抑制できる。
なお、透光性カバー２０２は、ＬＥＤユニット２０１を収容（装着）する状態で、ねじ、リベット等の固定具により固定してもよい。この場合、対向部２２１、さらに延伸部分２６９，２７９やバスバー部２６５，２７５に貫通孔やねじ孔等を設けることで実施できる。
【００４９】
以上、２つの実施形態を説明したが、これらの実施形態に限られるものではなく、例えば、以下のような変形例であってもよい。また、実施形態と変形例、変形例同士を組み合わせたものであってよい。
また、実施形態や変形例に記載していていない例や、要旨を逸脱しない範囲の設計変更があっても本発明に含まれる。
【００５０】
＜変形例＞
１．ＬＥＤユニット
（１）曲部の個数
第１及び第２実施形態では、一方側曲部１５３，２５３及び他方側曲部１５５，２５５は仮想線方向からみたときに、平坦部分１６７，１７７，２６７，２７７から第２直交方向に９０［°］で屈曲しているが、９０［°］以外の角度で屈曲してもよいし、曲部が円弧状をしてもよい。曲部を有するＬＥＤユニットは、曲部を有しないＬＥＤユニットよりも第１直交方向の寸法が短くなる。
【００５１】
第１及び第２実施形態では、第１直交方向の両側で、１個の曲部１５３，１５５，２５３，２５５を有しているが、第１直交方向の寸法を小さくできればよく、曲部は複数あってもよい。曲部が複数ある例１及び例２について図７を用いて説明する。
【００５２】
（１−１）例１
ＬＥＤユニット３０１は、複数個のＬＥＤ素子３０２が仮想線方向（紙面と直交する方向）に沿って配線体３０３に配されてなる。配線体３０３は、第１直交方向（紙面において左右方向）の間隔をおいて配された一方側導電片３０４と他方側導電片３０５を備える。
一方側導電片３０４は、図７の（ａ）に示すように、一方側第１曲部３０４ａと一方側第２曲部３０４ｂを有する。他方側導電片３０５は、図７の（ａ）に示すように、他方側第１曲部３０５ａと他方側第２曲部３０５ｂを有する。
第１曲部３０４ａ，３０５ａは、第２実施形態と同様に、仮想線方向から見たときに、第１直交方向から第２直交方向に直角状に屈曲している。第２曲部３０４ｂ，３０５ｂは、仮想線方向から見たときに、第２直交方向から第１直交方向に直角状であって対向する導電片３０４，３０５に向かって延伸するように屈曲している。これにより、ＬＥＤユニット３０１の第１直交方向の寸法を小さくできる。
【００５３】
一方側導電片３０４において、ＬＥＤ素子３０２を実装する一方側平坦部分３０４ｃと、一方側第２曲部３０４ｂから他方側導電片３０５側に延伸する一方側延伸部分３０４ｄとは平行となっている。他方側導電片３０５において、ＬＥＤ素子３０２を実装する他方側平坦部分３０５ｃと、他方側第２曲部３０５ｂから一方側導電片３０４側に延伸する他方側延伸部分３０５ｄとは平行となっている。
ＬＥＤユニット３０１は、平坦部分３０４ｃ，３０５ｃと延伸部分３０４ｄ，３０５ｄとの間に絶縁板３０７を有している。これにより、配線体３０３を補強できる。
【００５４】
（１−２）例２
ＬＥＤユニット４０１は、複数個のＬＥＤ素子４０２が仮想線方向に沿って配線体４０３に配されてなる。配線体４０３は、仮想線方向に間隔をおいて配され導電片を複数個有する。導電片は、第１実施形態と同様に、仮想線方向の一方端に位置する一方端側導電片４０４、他方端に位置する他方端側導電片４０５と、仮想線方向の中間に位置する中間側導電片とを備える。なお、複数個のＬＥＤ素子４０２は仮想線方向に隣接する２個の導電片に跨るように実装され、１個のＬＥＤユニット４０１内では直列接続される。
【００５５】
一方端側導電片４０４は、図７の（ｂ）に示すように、一方端側接続部４４１と一方側バスバー部４４３とを備える。一方端側接続部４４１は、一方端平坦部分４４１ａと一方端延伸部分４４１ｂとを有する。一方側バスバー部４４３は、第２直交方向に延伸するバスバー第１延伸部分４４３ａと、第１直交方向に延伸するバスバー第２延伸部分４４３ｂと、第２直交方向に延伸するバスバー第３延伸部分４４３ｃとを有する。
仮想線方向から一方端側導電片４０４を見ると、一方端平坦部分４４１ａとバスバー第２延伸部分４４３ｂとは第１直交方向に延伸し、一方端延伸部分４４１ｂとバスバー第１延伸部分４４３ａとバスバー第３延伸部分４４３ｃとは第２直交方向に延伸する。
一方端側導電片４０４は、一方端平坦部分４４１ａと一方端延伸部分４４１ｂとの間の一方側第１曲部４０４ａと、バスバー第１延伸部分４４３ａとバスバー第２延伸部分４４３ｂとの間の一方側第２曲部４０４ｂ、バスバー第２延伸部分４４３ｂとバスバー第３延伸部分４４３ｃとの間の一方側第３曲部４０４ｃの合計３個の曲部を有する。
【００５６】
他方端側導電片４０５は、図７の（ｂ）に示すように、他方端側接続部４５１と他方側バスバー部４５３とを備える。他方端側接続部４５１は、他方端平坦部分４５１ａと他方端延伸部分４５１ｂとを有する。他方側バスバー部４５３は、第２直交方向に延伸するバスバー第１延伸部分４５３ａと、第１直交方向に延伸するバスバー第２延伸部分４５３ｂと、第２直交方向に延伸するバスバー第３延伸部分４５３ｃとを有する。
仮想線方向から他方端側導電片４０５を見ると、他方端平坦部分４５１ａとバスバー第２延伸部分４５３ｂとは第１直交方向に延伸し、他方端延伸部分４５１ｂとバスバー第１延伸部分４５３ａとバスバー第３延伸部分４５３ｃとは第２直交方向に延伸する。
他方端側導電片４０５は、他方端平坦部分４５１ａと他方端延伸部分４５１ｂとの間の他方側第１曲部４０５ａと、バスバー第１延伸部分４５３ａとバスバー第２延伸部分４５３ｂとの間の他方側第２曲部４０５ｂ、バスバー第２延伸部分４５３ｂとバスバー第３延伸部分４５３ｃとの間の他方側第３曲部４０５ｃの合計３個の曲部を有する。
【００５７】
中間側導電片は、図７の（ｂ）には現れていないが、第１実施形態の中間側導電片１８０と略同じ構成であり、仮想線方向に隣接する２つのＬＥＤ素子４０２と接続する接続領域を有し、例えば、表側から見たときに、矩形状や方形状をしている。
配線体４０３は、仮想線方向から見たときに、裏側が開口する矩形筒状をしている。配線体４０３の各導電片は、矩形筒状における内周面に絶縁部４０７を有している。絶縁部４０７は、例えば、絶縁塗料の塗布、絶縁シートの貼着等により構成されている。これにより、例えば矩形筒状の内部に電源ユニットを収容することも可能となる。
【００５８】
（２）曲部の向き
第１及び第２実施形態の曲部１５３，１５５，２５３，２５５は裏側に９０［°］で屈曲しているが、他の方向に９０［°］以外の角度で屈曲又は湾曲させてもよい。曲部が裏側以外に９０［°］以外の角度に屈曲する例３について図８を用いて説明する。
ＬＥＤユニット５０１は、複数個のＬＥＤ素子５０２が仮想線方向に沿って配線体５０３に配されてなる。配線体５０３は、第１直交方向の間隔をおいて配された一方側導電片５０４と他方側導電片５０５を備える。
一方側導電片５０４は、図８の（ａ）に示すように、一方側曲部５０４ａを有する。他方側導電片５０５は他方側曲部５０５ａを有する。
一方側曲部５０４ａは、仮想線方向から見たときに、第１直交方向から表斜め方向に屈曲している。他方側曲部５０５ａは、仮想線方向から見たときに、第１直交方向から表斜め方向に屈曲している。これにより、ＬＥＤユニット５０１の第１直交方向の寸法を小さくできる。また、一方側導電片５０４及び他方側導電片５０５において、一方側曲部５０４ａ及び他方側曲部５０５ａよりも先端側に位置する部分に、ＬＥＤ素子５０２からの光を表側に反射させる反射機能を持たせてもよい。
【００５９】
ＬＥＤユニット５０１を備える照明装置５００は、図８の（ｂ）に示すように、横断面形状が矩形筒状をする透光性カバー５０７内にＬＥＤユニット５０１を１個又は複数個収容する。
透光性カバー５０７における第１直交方向の寸法（内寸）は、ＬＥＤユニット５０１の第１直交方向の寸法と略一致している。透光性カバー５０７における第２直交方向の寸法（内寸）は、ＬＥＤユニット５０１の第２直交方向の寸法と略一致している。
これにより、ＬＥＤユニット５０１は、ガタつきの少ない状態で、透光性カバー５０７により支持される。
透光性カバー５０７は、図８の（ｂ）に示すように、天板５０７ａと、一対の側壁５０７ｂと、底壁５０７ｃとを有する。透光性カバー５０７は透光性樹脂により構成されている。なお、天板５０７ａは、クリアータイプ、乳白色タイプであってもよい。
【００６０】
（３）曲部の位置
第１実施形態では、一方側曲部１５３は一方端側導電片１６０の一方端側接続部１６３にあり、他方側曲部１５５は他方端側導電片１７０の他方端側接続部１７３にある。
第２実施形態では、一方側曲部２５３は一方側導電片２６０の一方側接続部２６３にあり、他方側曲部２５５は他方側導電片２７０の他方側接続部２７３にある。
しかしながら、曲部はバスバー部にあってもよい。
【００６１】
（４）接続部
実施形態の接続部１６３，１７３，２６３，２７３は表側から見ると、矩形状をしているが、ＬＥＤ素子と接続できればよく、特に矩形状に限定するものではなく、例えば、円形状、楕円形状であってもよい。
【００６２】
（５）バスバー部
第１実施形態の配線体１０５は、一方端側導電片１６０に一方側バスバー部１６５を、他方端側導電片１７０に他方側バスバー部１７５を有しているが、バスバー部を有しなくてもよい。この場合、専用の帯状の導電片を利用して電気的な接続を行ってもよいし、配線により電気的接続を行ってもよい。
また、補強目的の場合、絶縁板等を利用して一方端側導電片と他方端側導電片とを連結するようにしてもよい。
（６）連結部分
第１実施形態では、製造工程の解除工程において、連結部分１９７が一部残存するように、連結部分を除去しているが、連結部分が残らないように解除してもよい。
【００６３】
（７）ＬＥＤユニットの連結
第１及び第２実施形態では、バスバー部１６５，１７５，２６５，２７５の弾性変形の復元力を利用し、凸部分１６９ａ，１７９ａ，２６５ａ，２７５ａが貫通孔１６５ａ，１７５ａ，２６５ｂ，２７５ｂに嵌合（係合）することで、仮想線方向の複数個のＬＥＤユニット１０１，２０１を連結している。
しかしながら、他の構造、他の部材を利用して複数個のＬＥＤユニットを連結するようにしてもよい。例えば、半田付けで複数個のＬＥＤユニットを連結してもよい。
他の構造による連結については例４〜例６及び図９を用いて説明する。
図９では、仮想軸方向に隣接する２つのＬＥＤユニットにおける他方側バスバー部の連結側の端部（連結部）を示している。なお、一方側バスバー部も他方側バスバー部と同様の構造をしている。
【００６４】
（７−１）例４
例４では、他のＬＥＤユニットと連結するため、挿抜可能なコネクタ構造を採用している。以下、具体的に説明する。
ＬＥＤユニットの他方側バスバー部６０３は、仮想線方向の一方端部に雌タイプの雌コネクタ部６０５を、他方端部に雄タイプの雄コネクタ部６０７をそれぞれ有する。
雌コネクタ部６０５は、他方側バスバー部６０３の端部の一部を内側に折り曲げて形成された溝６０５ａを有する。溝６０５ａは第２直交方向に対向するように表裏に２個設けられている。溝６０５ａの大きさは雄コネクタ部６０７の大きさに対応している。
雄コネクタ部６０７は、平板状に構成され、雌コネクタ部６０５の表裏の溝６０５ａに挿入される。雄コネクタ部６０７は、仮想線方向の他方端側から一方端側であって第１直交方向の外方に向かって張り出す張出片６０７ａを有している。張出片６０７ａは第１直交方向に弾性変形可能である。張出片６０７ａは、雄コネクタ部６０７の雌コネクタ部６０５への挿入にしたがって第１直交方向の内側に弾性変形する。これにより、雌コネクタ部６０５から雄コネクタ部６０７が抜けるのを防止できる。
【００６５】
（７−２）例５
例５では、他のＬＥＤユニットと連結するため、着脱可能な係合構造を採用している。以下、具体的に説明する。
ＬＥＤユニットの他方側バスバー部６１３は、仮想線方向の一方端部に第１係止部６１５を、他方端部に第２係止部６１７をそれぞれ有する。
第２直交方向から見ると、第１係止部６１５は第１直交方向の内側に屈曲する「Ｌ」字状をし、第２係止部６１７は第１直交方向の内側に凹入する「Ｖ」字状をしている。
第１係止部６１５及び第２係止部６１７は第１直交方向に弾性変形可能である。第１係止部６１５の短辺部分６１５ａが第２係止部６１７の第１辺部分６１７ａと第２辺部分６１７ｂとの間に挿入される。これにより第１係止部６１５が第２係止部６１７に係合する。
【００６６】
（７−３）例６
例６では、他のＬＥＤユニットと連結するため、連結具を利用している。以下、具体的に説明する。
ＬＥＤユニットの他方側バスバー部６２３は、仮想線方向の一方端部に一方側対向部６２５を、他方端部に他方側対向部６２７をそれぞれ有する。
第２直交方向から見ると、他方側バスバー部６２３の両端部が第１直交方向の内側に屈曲する「Ｌ」字状をし、内側に向かう部分により対向部６２５，６２７が構成されている。対向部６２５，６２７は、両者が対向する状態において、仮想線方向に貫通する貫通孔６２５ａ，６２７ａを有する。
隣接するＬＥＤユニットは、両対向部６２５，６２７を当接させた状態で、例えば貫通孔６２５ａ，６２７ａを挿通する連結具により、機械的及び電気的に連結される。なお、連結具としては、リベット、ビスねじ、ねじとナット等がある。
【００６７】
（８）ＬＥＤ素子
（８−１）構成
実施形態のＬＥＤ素子１０３,２０３の平面視における形状は、矩形状であったが、ＬＥＤ素子の平面視形状は矩形状に限定するものではなく、例えば、方形状、円形状等の他の形状であってもよい。
ＬＥＤ素子１０３，２０３は、ミドルチップであったが、これに限定されるものではなく、例えば、高電力のハイパワータイプや低電力のローパワータイプのチップであってもよい。
（８−２）配置
第１及び第２実施形態のＬＥＤユニット１０１，２０１では、複数個のＬＥＤ素子１０３，２０３を仮想線方向に沿って備えている。ここでの仮想線は直線であったが、仮想線は、例えば、円弧状、放物線状等の曲線であってもよいし、「Ｌ」字、「Ｖ」字等の屈曲した形状の直線及び曲線であってもよい。
【００６８】
２．照明装置
第１及び第２実施形態の照明装置１００，２００は、点灯回路について説明していないが、照明装置は、１個又は複数個のＬＥＤユニットを備えればよく、点灯回路を備えてもよいし、備えなくてもよい。
【符号の説明】
【００６９】
１０１    ＬＥＤユニット
１０３    ＬＥＤ素子
１０５    配線体
１５１    導電片
１６０    一方端側導電片
１７０    他方端側導電片
【図１】
2019087466.tif 000003
【図２】
2019087466.tif 000004
【図３】
2019087466.tif 000005
【図４】
2019087466.tif 000006
【図５】
2019087466.tif 000007
【図６】
2019087466.tif 000008
【図７】
2019087466.tif 000009
【図８】
2019087466.tif 000010
【図９】
2019087466.tif 000011